(57)【特許請求の範囲】
【請求項１】
レンズバレルと、
前記レンズバレルの内に配置され、多角の外郭形状を有する第１レンズ部と、
前記レンズバレルの内に配置され、円形の外郭形状を有し、前記第１レンズ部と異なる性能を有する第２レンズ部と、
前記第１レンズ部及び前記第２レンズ部の間に介され、前記多角の外郭形状を有する第３レンズ部と、
前記第３レンズ部及び前記第２レンズ部の間に介され、前記多角の外郭形状を有する第４レンズ部と、
前記レンズバレルと結合されるハウジングと、
を含み、
前記レンズバレルは、前記第１レンズ部、第３レンズ部及び第４レンズ部を受容する第１受容溝と、前記第２レンズ部を受容する第２受容溝と、を有し、
前記第１受容溝の内側面は前記第２受容溝の内側面と段差を形成し、
前記第１レンズ部、前記第３レンズ部及び前記第４レンズ部は、相互同一平面に配置される切断面を含み、
前記切断面は、前記第１受容溝の内壁と直接接触することを特徴とする、カメラモジュール。
【請求項２】
前記第１レンズ部、前記第３レンズ部、及び前記第４レンズ部は、プラスチックを含み、
前記第２レンズ部はガラスを含むことを特徴とする、請求項１に記載のカメラモジュール。
【請求項３】
前記第１レンズ部、前記第３レンズ部、及び前記第４レンズ部は、順次に積層されることを特徴とする、請求項２に記載のカメラモジュール。
【請求項４】
前記第１レンズ部及び前記第２レンズ部の間に介され、円形の外郭形状を有する第５レンズ部を含むことを特徴とする、請求項１に記載のカメラモジュール。
【請求項５】
前記第１レンズ部は前記第２レンズ部より物体側に一層近く配置されることを特徴とする、請求項１に記載のカメラモジュール。
【請求項６】
前記第２レンズ部は前記第１レンズ部より物体側に一層近く配置されることを特徴とする、請求項１に記載のカメラモジュール。
【請求項７】
前記第１レンズ部及び前記第２レンズ部の間に介される第５レンズ部をさらに含み、
前記レンズバレルは、
前記第５レンズ部を受容する第３受容溝をさらに含み、
前記第１受容溝の内側面は前記第３受容溝の内側面と段差を形成し、
前記第２受容溝の内側面は前記第３受容溝の内側面と段差を形成することを特徴とする、請求項１に記載のカメラモジュール。
【請求項８】
前記第１レンズ部及び前記第２レンズ部を前記レンズバレルに固定させる固定部をさらに含むことを特徴とする、請求項１に記載のカメラモジュール。
【請求項９】
前記レンズバレル及び前記ハウジングは雄ねじ部または雌ねじ部を含むことを特徴とする、請求項１に記載のカメラモジュール。
【請求項１０】
前記レンズバレルと前記ハウジングは雌雄結合することを特徴とする、請求項９に記載のカメラモジュール。
【発明の詳細な説明】
【技術分野】
【０００１】
本発明は、カメラモジュールに関するものである。
【背景技術】
【０００２】
現在、移動通信端末機とＰＤＡ及びＭＰ３プレーヤーなどのＩＴ機器を始めとする自動車と内視鏡などの製作時、カメラモジュールが搭載されており、このようなカメラモジュールは既存の３０万画素（ＶＧＡ級）で技術の発達に従って高画素中心に発達すると共に、取付対象によって小型化及びスリム化が進行しており、低価格の製作コストでオートフォーカシング（ＡＦ）、光学ズーム（OPTICAL ZOOM）などの多様な付加機能が具現可能に変化されている。
【０００３】
また、現在製作されるカメラモジュールは、ワイヤーボンディング方式（ＣＯＢ；Chip Of Board）、フリップチップ方式（ＣＯＦ：Chip Of Flexible）、及びチップスケールパッケージ方式（ＣＳＰ：Chip Scale Pakage）により製作されるイメージセンサモジュールが搭載されて製作されており、主に印刷回路基板（ＰＣＢ）や軟性印刷回路基板（ＦＰＣＢ）などの電気的連結手段を通じてメイン基板に接続される形態で構成される。
【０００４】
しかしながら、最近に至って一般的な受動素子と同様に、メイン基板の上に直接実装可能にすることによって、製造工程を簡素化させ、製作コストを低減させることができるカメラモジュールがユーザから求められている。
【０００５】
このようなカメラモジュールは、主にＣＣＤやＣＭＯＳなどのイメージセンサがワイヤーボンディングまたはフリップチップ方式により基板に付着された状態で製作されており、上記イメージセンサを通じて事物のイメージを集光させてカメラモジュール内・外のメモリの上にデータとして格納され、格納されたデータは電気的信号に変換されて機器内のＬＣＤまたはＰＣモニターなどのディスプレイ媒体を通じて映像としてディスプレイされる。
【０００６】
従来のカメラモジュールはレンズを通じて入った映像信号を電気的信号に変換するイメージセンサが底面に支持されるハウジングと、上記イメージセンサに被写体の映像信号を集めるレンズ群と、上記レンズ群が内部に積層されるバレルの順次的な結合により構成される。
【０００７】
この際、上記ハウジングの下部にはＣＣＤまたはＣＭＯＳからなるイメージセンサを駆動するための電気部品であるコンデンサと抵抗のチップ部品が付着された実装用基板（ＦＰＣＢ）が電気的に結合される。
【０００８】
このように構成された従来のカメラモジュールは、実装用基板（ＦＰＣＢ）に多数の回路部品が実装された状態で基板とイメージセンサとの間に異方導電性フィルム（ＡＣＦ：Anisotropic Conductive Film）を挿入し、熱と圧力を加えて通電されるように接着固定し、その反対面に赤外線遮断フィルタ部を付着する。
【０００９】
また、多数のレンズ群が内蔵されたバレルとハウジングがねじ結合によって仮結合させた状態で、前述したように、既に組立された実装用基板がハウジングの底面に別途の接着剤により接着固定される。
【００１０】
一方、上記イメージセンサが付着された実装用基板とバレルが結合されたハウジングの接着固定の後に上記バレルの前方に被写体（解像度チャート）を一定の距離にして焦点調整がなされるようになるが、上記カメラモジュールの焦点調整はハウジングにねじ結合されたバレルの回転による垂直移送量が調節されるにつれて、レンズ群とイメージセンサとの間の焦点調節がなされるようになる。
【発明の概要】
【発明が解決しようとする課題】
【００１１】
本発明は、小さなサイズを有し、向上した性能を有するカメラモジュールを提供することをその目的とする。
【課題を解決するための手段】
【００１２】
本発明に従うカメラモジュールは、レンズバレル、上記レンズバレルの内に配置され、多角の外郭形状を有する第１レンズ部、上記レンズバレルの内に配置され、円形の外郭形状を有し、第１レンズ部と異なる性能を有する第２レンズ部、第１レンズ部及び第２レンズ部の間に介され、多角の外郭形状を有する第３レンズ部、第３レンズ部及び第２レンズ部の間に介され、多角の外郭形状を有する第４レンズ部、及び上記レンズバレルと結合されるハウジングを含む。レンズバレルは、第１レンズ部、第３レンズ部及び第４レンズ部を受容する第１受容溝と、第２レンズ部を受容する第２受容溝と、を有し、第１受容溝の内側面は第２受容溝の内側面と段差を形成し、第１レンズ部、第３レンズ部及び第４レンズ部は、相互同一平面に配置される切断面を含み、切断面は、第１受容溝の内壁と直接接触する。
【発明の効果】
【００１３】
本発明に従うカメラモジュールは、上記レンズバレルに互いに異なる外郭形状を有するレンズ部を配置させる。特に、本発明に従うカメラモジュールは、上記レンズバレルに互いに異なるサイズ、互いに異なる外郭形状、及び互いに異なる性能を有するレンズ部を配置させることができる。
【００１４】
例えば、高性能を必要としないレンズ部は基板形態に多数個を一度に形成し、これを積層して、一度に切断して形成できる。これによって、多角型の外郭形状を有するレンズ部が形成できる。
【００１５】
また、高性能を必要とするレンズ部は所望の外郭形状を有するように加工されて形成される。これによって、円形状を有するレンズ部が形成できる。
【００１６】
即ち、高性能を必要とするレンズ部は大きい面積を占めるので、円形の外郭形状に加工されて、円筒形状のレンズバレルに配置される。これによって、上記高性能のレンズ部は上記レンズバレルの内の空間活用を極大化して配置される。
【００１７】
また、高性能を必要としないレンズ部は量産が容易であるように多角形の外郭形状を有するが、大きい面積を占めないので、上記レンズバレルに容易に配置できる。
【００１８】
即ち、実施形態に従うカメラモジュールは、上記レンズバレルの内に、レンズ部の性能別に外郭形状を異にして配置させることができる。したがって、実施形態に従うカメラモジュールは、上記レンズ部の性能及び製造容易性を基準に上記レンズバレルの内の空間活用を極大化することができる。
【００１９】
したがって、実施形態に従うカメラモジュールは容易に製造され、小さなサイズを有し、向上した性能を有することができる。
【図面の簡単な説明】
【００２０】
【図１】本発明の実施形態に従うカメラモジュールを示す分解斜視図である。
【図２】レンズバレルの下部を示す斜視図である。
【図３】レンズバレルにレンズアセンブリ及び第２レンズ部が結合された状態を示す斜視図である。
【図４】本発明の実施形態に従うカメラモジュールを示す断面図である。
【図５】レンズアセンブリを製造する過程を示す断面図である。
【図６】レンズアセンブリを製造する過程を示す断面図である。
【図７】本発明の他の実施形態に従うレンズバレル、レンズアセンブリ、及び第２レンズ部を示す断面図である。
【図８】本発明の他の実施形態に従う第２レンズ部及びレンズアセンブリを示す図である。
【図９】本発明の更に他の実施形態に従うレンズバレル、レンズアセンブリ、第２レンズ部、及び第４レンズ部を示す断面図である。
【発明を実施するための形態】
【００２１】
本発明を説明するに当たって、各レンズ、ユニット、部、ホール、突起、溝、または層などが、各レンズ、ユニット、部、ホール、突起、溝、または層などの“上（on）”に、または“下（under）”に形成されることと記載される場合において、“上（on）”と“下（under）”は、“直接（directly）”または“他の構成要素を介して（indirectly）”形成されることを全て含む。また、各構成要素の上または下に対する基準は、図面を基準として説明する。図面において、各構成要素のサイズは説明のために誇張することがあり、実際に適用されるサイズを意味するものではない。
【００２２】
図１は、本発明の実施形態に従うカメラモジュールを示す分解斜視図である。図２は、レンズバレルの下部を示す斜視図である。図３は、レンズバレルにレンズアセンブリ及び第２レンズ部が結合された状態を示す斜視図である。図４は、本発明の実施形態に従うカメラモジュールを示す断面図である。図５及び図６は、レンズアセンブリを製造する過程を示す断面図である。
【００２３】
図１乃至図６を参照すると、実施形態に従うカメラモジュールは、レンズバレル１００、レンズアセンブリ２００、第２レンズ部２２０、固定部３００、ハウジング４００、赤外線遮断フィルタ部５００、及びセンサ部６００を含む。
【００２４】
上記レンズバレル１００は、上記レンズアセンブリ２００及び上記第２レンズ部２２０を受容する。
【００２５】
上記レンズバレル１００は、上記レンズアセンブリ２００を受容するための第１受容溝１２０を含む。上記第１受容溝１２０は、上記レンズアセンブリ２００と対応する形状を有することができる。上記第１受容溝１２０は、ボトム側から見た時、多角形状を有することができる。より詳しくは、上記第１受容溝１２０はボトム側から見た時、四角形状を有することができる。即ち、上記第１受容溝１２０の外郭は四角形状を有することができる。より詳しくは、上記第１受容溝１２０はボトム側から見た時、矩形状を有することができる。より詳しくは、上記第１受容溝１２０はボトム側から見た時、正四角形状を有することができる。
【００２６】
また、上記レンズバレル１００は、上記第２レンズ部２２０を受容するための第２受容溝１３０を含む。上記第２受容溝１３０は上記第２レンズ部２２０と対応する形状を有することができる。上記第２受容溝１３０はボトム側から見た時、円形状を有することができる。即ち、上記第２受容溝１３０の外郭は円形状を有することができる。
【００２７】
上記第１受容溝１２０及び上記第２受容溝１３０は互いに連結される。上記第１受容溝１２０及び上記第２受容溝１３０は直接連結される。より詳しくは、上記第１受容溝１２０は、上記第２受容溝１３０より物体側に一層近く配置される。即ち、上記第１受容溝１２０は上記第２受容溝１３０の上に配置される。
【００２８】
上記第１受容溝１２０は、上記第２受容溝１３０より小さな平面積を有することができる。即ち、上記第１受容溝１２０の外郭は上記第２受容溝１３０の外郭内に配置される。これによって、上記第１受容溝１２０及び上記第２受容溝１３０は互いに段差を形成する。即ち、上記第１受容溝１２０の内側面及び上記第２受容溝１３０の内側面は互いに段差を形成する。
【００２９】
上記レンズバレル１００は円筒形状を有することができる。即ち、上記レンズバレル１００の外郭は円形状を有することができる。
【００３０】
上記レンズバレル１００は上記ハウジング４００と結合できる。より詳しくは、上記レンズバレル１００は、上記ハウジング４００とねじ結合できる。上記レンズバレル１００の外周面に雄ねじ部１１０が形成される。上記レンズバレル１００の雄ねじ部１１０は、上記ハウジング４００の雌ねじ部４１０とねじ結合できる。即ち、上記レンズバレル１００の雄ねじ部１１０は、上記ハウジング４００の雌ねじ部４１０と雌雄結合できる。上記雄ねじ部１１０及び上記雌ねじ部４１０によって、上記第２レンズ部２２０及び上記センサ部６００の間の間隔が調節できる。即ち、上記レンズバレル１００の回転に従って、上記第２レンズ部２２０及び上記センサ部６００の間の間隔が調節できる。これによって、上記センサ部６００が上記レンズアセンブリ２００及び上記第２レンズ部２２０の全体焦点距離に配置されるように、上記センサ部６００の位置が調節できる。即ち、上記レンズバレル１００及び上記ハウジング４００の結合によって、上記レンズアセンブリ２００、上記第２レンズ部２２０、及び上記センサ部６００の間の焦点が調節できる。
【００３１】
また、上記レンズバレル１００は上方（物体側）にオープンされる入光溝を含む。上記入光溝は上記レンズアセンブリ２００を露出させる。上記入光溝を通じて上記レンズアセンブリ２００に映像が入射される。
【００３２】
上記レンズアセンブリ２００は上記レンズバレル１００の内に配置される。より詳しくは、上記レンズアセンブリ２００は上記第１受容溝１２０の内に配置される。上記レンズアセンブリ２００は、上記第１受容溝１２０に挿入される。上記レンズアセンブリ２００は、第１外郭形状を有する。より詳しくは、上記レンズアセンブリ２００は、多角形の外郭形状を有することができる。より詳しくは、上記レンズアセンブリ２００はトップ側から見た時、多角形状を有することができる。より詳しくは、上記レンズアセンブリ２００はトップ側から見た時、矩形状を有することができる。より詳しくは、上記レンズアセンブリ２００はトップ側から見た時、正四角形状を有することができる。
【００３３】
上記レンズアセンブリ２００は多数個のレンズ部を含む。例えば、上記レンズアセンブリ２００は、第１レンズ部２１０、第３レンズ部２３０、及び第４レンズ部２４０を含むことができる。上記第４レンズ部２４０、上記第３レンズ部２３０、及び上記第１レンズ部２１０は順次に積層される。
【００３４】
上記第１レンズ部２１０は、第１レンズ２１１及び第１支持部２１２を含む。上記第１レンズ２１１は曲面を含む。上記第１支持部２１２は、上記第１レンズ２１１から側方に延びる。上記第１レンズ２１１及び上記第１支持部２１２は一体に形成される。上記第１支持部２１２には上記第２レンズ部２２０を所望の位置に固定させるためのガイド溝が形成される。
【００３５】
上記第３レンズ部２３０は、上記第１レンズ部２１０の下に配置される。より詳しくは、上記第３レンズ部２３０は、上記第１レンズ部２１０及び上記第２レンズ部２２０の間に配置される。上記第３レンズ部２３０は、第３レンズ２３１及び第３支持部２３２を含む。上記第３レンズ２３１は曲面を含む。上記第３支持部２３２は、上記第３レンズ２３１から側方に延びる。上記第３レンズ２３１及び上記第３支持部２３２は一体に形成される。上記第３支持部２３２には上記第４レンズ部２４０を所望の位置に固定させるためのガイド溝が形成される。また、上記第３支持部２３２の上面には上記第１レンズ部２１０に固定されるためのガイド突起が形成される。
【００３６】
上記第４レンズ部２４０は、上記第３レンズ部２３０の下に配置される。より詳しくは、上記第４レンズ部２４０は、上記第３レンズ部２３０及び上記第２レンズ部２２０の間に配置される。上記第４レンズ部２４０は、第４レンズ２４１及び第４支持部２４２を含む。上記第４レンズ２４１は曲面を含む。上記第４支持部２４２は、上記第４レンズ２４１から側方に延びる。上記第４レンズ２４１及び上記第４支持部２４２は一体に形成される。上記第４支持部２４２の上面には上記第３レンズ部２３０に固定されるためのガイド突起が形成される。
【００３７】
以上、上記レンズアセンブリ２００は３個のレンズ部を含むことと説明したが、これに限定されない。即ち、上記レンズアセンブリ２００は、１つまたは２つのレンズ部を含んだり、４個以上のレンズ部を含むことができる。
【００３８】
また、上記レンズアセンブリ２００はポリマーを含むことができる。即ち、上記レンズアセンブリ２００はポリマーで形成できる。即ち、上記第１レンズ部２１０、上記第２レンズ部２２０、及び上記第３レンズ部２３０に使われる物質は、アクリル系樹脂などの透明なポリマーなどが挙げられる。
【００３９】
上記レンズアセンブリ２００は、次のような過程により形成される。
【００４０】
図５を参照すると、多数個のレンズアレイ基板２１３、２３３、２４３が順次に積層される。上記レンズアレイ基板２１３、２３３、２４３は多数個のレンズを含む。例えば、第４レンズアレイ基板２４３、第３レンズアレイ基板２３３、及び第１レンズアレイ基板２１３が順次に積層される。
【００４１】
図６を参照すると、上記第１レンズアレイ基板２１３、上記第３レンズアレイ基板２３３、及び上記第４レンズアレイ基板２４３が積層されたままで切断される。これによって、多数個のレンズアセンブリ２００が一度に形成できる。これによって、上記第１レンズ部２１０、上記第３レンズ部２３０、及び上記第４レンズ部２４０は、全て同一な外郭形状を有することができる。即ち、上記第１レンズ部２１０、上記第３レンズ部２３０、及び上記第４レンズ部２４０は、全て上記第１外郭形状を有することができる。また、上記レンズアセンブリ２００はトップ側から見た時、矩形状を有することができる。
【００４２】
即ち、上記レンズアセンブリ２００は積層及び切断工程により形成されるので、必然的に多角形の外郭形状を有することができる。
【００４３】
上記第２レンズ部２２０は、上記第２受容溝１３０の内に配置される。上記第２レンズ部２２０は物体側を基準に上記レンズアセンブリ２００より遠く配置される。即ち、上記第２レンズ部２２０は、上記レンズアセンブリ２００の下に配置される。
【００４４】
上記第２レンズ部２２０は、上記レンズアセンブリ２００の第１外郭形状と異なる第２外郭形状を有する。より詳しくは、上記第２レンズ部２２０は円形状を有することができる。即ち、上記第２レンズ部２２０は円形の外郭形状を有することができる。また、上記第２レンズ部２２０はメニスカス形状を有することができる。
【００４５】
上記第２レンズ部２２０は、上記レンズアセンブリ２００より広い平面積を有することができる。即ち、上記第２レンズ部２２０は、上記第１レンズ部２１０、上記第４レンズ部２４０、及び上記第３レンズ部２３０より広い平面積を有することができる。
【００４６】
上記第２レンズ部２２０はガラスまたは透明なポリマーを含む。上記第２レンズ部２２０に使われる物質の例としては、ポリマーまたはガラスなどが挙げられる。特に、上記第２レンズ部２２０にガラスが使用できる。
【００４７】
また、図面には図示してはいないが、上記レンズアセンブリ２００及び上記第２レンズ部２２０の間に第５レンズ分が配置される。上記第５レンズ部は上記第２レンズ部２２０と同一な外郭形状を有することができる。
【００４８】
上記第２レンズ部２２０及び上記レンズアセンブリ２００の間にはスペーサ２２５が配置される。上記スペーサ２２５は、上記第２レンズ部２２０及び上記レンズアセンブリ２００の間の間隔を互いに離隔させることができる。上記スペーサ２２５はリング形状を有することができる。
【００４９】
上記固定部３００は上記レンズアセンブリ２００及び上記第２レンズ部２２０を上記レンズバレル１００に固定させる。上記固定部３００は、上記レンズバレル１００及び上記第２レンズ部２２０に接着される。より詳しくは、上記固定部３００は、上記レンズバレル１００の下面及び上記第２レンズ部２２０の下面に接着される。より詳しくは、上記固定部３００は上記レンズバレル１００の下面及び上記第２レンズ部２２０の下面に直接接着できる。
【００５０】
上記固定部３００はドット（dot）形状を有することができる。より詳しくは、上記固定部３００はドット形態に多数個であることがあり、互いに離隔できる。上記固定部３００は、上記レンズアセンブリ２００の下面の隅部分に配置される。
【００５１】
上記固定部３００に使われる物質は、エポキシ系樹脂などの接着性の高いポリマーが使用できる。上記固定部３００は、上記第２レンズ部２２０の外郭部分のみに接着される。これによって、上記固定部３００は上記レンズアセンブリ２００に入射される光の進行を妨害しない。
【００５２】
また、上記固定部３００はドット形状を有するため、簡単な工程で容易に上記レンズアセンブリ２００及び上記第２レンズ部２２０を上記レンズバレル１００に固定させることができる。即ち、上記レンズアセンブリ２００及び上記レンズバレル１００の間の領域に樹脂組成物がドーピングされた後、上記樹脂組成物が硬化する。これによって、上記固定部３００が簡単な工程により形成できる。
【００５３】
上記ハウジング４００は、上記センサ部６００及び上記赤外線遮断フィルタ部５００を受容する。上記ハウジング４００は、上記レンズバレル１００と結合される。より詳しくは、上記ハウジング４００は、上記レンズバレル１００とねじ結合される。前述したように、上記ハウジング４００の雌ねじ部４１０は、上記レンズバレル１００の雄ねじ部１１０とレンズ結合される。
【００５４】
上記ハウジング４００はプラスチックで形成される。上記ハウジング４００は、円形筒形状を有することができる。また、上記ハウジング４００は、上記赤外線遮断フィルタ部５００を受容するための受容溝４２０及び上記センサ部６００を受容するための受容溝４３０を含む。
【００５５】
上記赤外線遮断フィルタ部５００は上記ハウジング４００の内に配置される。上記赤外線遮断フィルタ部５００は、入射される赤外線をフィルタリングする。上記赤外線遮断フィルタ部５００は、上記センサ部６００に流入する過度な長波長の光を遮断することができる。
【００５６】
上記赤外線遮断フィルタ部５００は、光学ガラスにチタニウムオキサイド及びシリコンオキサイドが交互に蒸着して形成される。赤外線を遮断するために、上記チタニウムオキサイド及び上記シリコンオキサイドの厚さは適切に調節できる。
【００５７】
上記センサ部６００は、上記ハウジング４００の内に受容される。上記センサ部６００は、ＣＣＤイメージセンサまたはＣＭＯＳイメージセンサを含む。また、上記センサ部６００は、上記イメージセンサと連結される回路基板をさらに含む。上記センサ部６００は、入射される映像を電気的な信号に変更させる。
【００５８】
実施形態に従うカメラモジュールは、上記レンズバレル１００に互いに異なる外郭形状を有するレンズ部を配置させる。特に、実施形態に従うカメラモジュールは、上記レンズバレル１００に互いに異なるサイズ、互いに異なる外郭形状、及び互いに異なる性能を有するレンズ部を配置させることができる。
【００５９】
例えば、上記レンズアセンブリ２００は高性能を必要としないことがある。即ち、上記レンズアセンブリ２００は、小さなサイズのレンズを含むことができる。これによって、上記レンズアセンブリ２００は、積層及び切断工程により多角形状の外郭を有しても、小さなサイズのレンズを有するため、小さなサイズに上記レンズバレル１００の内に配置される。
【００６０】
一方、上記第２レンズ部２２０は高性能を必要とすることがある。これによって、上記第２レンズ部２２０のレンズは大きいサイズを有することがある。これによって、上記第２レンズ部２２０は、円形状の外郭を有するように加工される。したがって、上記第２レンズ部２２０は、円形状の外郭に加工されて、円筒形状のレンズバレル１００に配置される。これによって、上記第２レンズ部２２０は上記レンズバレル１００の内の空間活用を極大化して配置される。
【００６１】
結局、上記レンズアセンブリ２００は量産が容易であるように多角形の外郭形状を有するが、大きい面積を占めないので、上記レンズバレル１００に容易に配置できる。また、上記第２レンズ部２２０は広い平面積を有するので、空間使用の極大化のために円形の外郭形状を有する。
【００６２】
即ち、実施形態に従うカメラモジュールは、上記レンズバレル１００の内に、レンズ部の性能別に外郭形状を異にして配置させることができる。したがって、実施形態に従うカメラモジュールは、上記レンズ部の性能及び製造容易性を基準に上記レンズバレル１００の内の空間活用を極大化することができる。
【００６３】
したがって、実施形態に従うカメラモジュールは容易に製造され、小さなサイズを有し、向上した性能を有することができる。
【００６４】
図７は、本発明の他の実施形態に従うレンズバレル、レンズアセンブリ、及び第２レンズ部を示す断面図である。図８は、本発明の他の実施形態に従う第２レンズ部及びレンズアセンブリを示す図である。本実施形態では先のカメラモジュールに対する説明を参照する。即ち、先のカメラモジュールに対する説明は変更された部分を除いて、本実施形態に対する説明に本質的に結合できる。
【００６５】
図７及び図８を参照すると、第２レンズ部２２０がレンズアセンブリ２００より物体側に一層近く配置される。即ち、上記第２レンズ部２２０は上記レンズアセンブリ２００の上に配置される。
【００６６】
上記第２レンズ部２２０はレンズバレル１００の第２受容溝１３０に配置され、上記レンズアセンブリ２００は上記レンズバレル１００の第１受容溝１２０に配置される。この際、上記第２受容溝１３０は上記第１受容溝１２０より物体側に一層近く配置される。即ち、上記第２受容溝１３０は上記第１受容溝１２０の上に配置される。
【００６７】
上記第２レンズ部２２０は円形の外郭形状を有し、上記レンズアセンブリ２００は多角形の外郭形状を有することができる。また、上記第２レンズ部２２０は上記レンズアセンブリ２００より小さな平面積を有することができる。即ち、上記第２レンズ部２２０の外郭は上記レンズアセンブリ２００の外郭内に配置される。
【００６８】
また、上記第２レンズ部２２０の一部は上記レンズバレル１００から物体側に突出する。より詳しくは、上記第２レンズ部２２０のレンズが上記レンズバレル１００から突出する。
【００６９】
これによって、本実施形態に従うカメラモジュールは広い画角を有することができる。本実施形態に従うカメラモジュールは車両などに適用されて、広い視野角を有することができる。
【００７０】
図９は、本発明の更に他の実施形態に従うレンズバレル、レンズアセンブリ、第２レンズ部、及び第４レンズ部を示す断面図である。本実施形態では先のカメラモジュールに対する説明を参照する。即ち、先のカメラモジュールに対する説明は変更された部分を除いて、本実施形態に対する説明に本質的に結合できる。
【００７１】
図９を参照すると、レンズアセンブリ２００及び第２レンズ部２２０の間に第５レンズ部２５０が配置される。上記第５レンズ部２５０は、上記レンズアセンブリ２００の第１外郭形状と異なる外郭形状を有する。また、上記第５レンズ部２５０は、上記第２レンズ部２２０と異なる外郭形状を有する。
【００７２】
また、上記第５レンズ部２５０は、上記レンズバレル１００の第３受容溝１４０の内に配置される。上記レンズアセンブリ２００は、上記レンズバレル１００の第１受容溝１２０の内に配置される。上記第２レンズ部２２０は、上記レンズバレル１００の第２受容溝１３０の内に配置される。
【００７３】
上記第３受容溝１４０は、上記第１受容溝１２０及び上記第２受容溝１３０の間に配置される。上記第３受容溝１４０は、上記第１受容溝１２０及び上記第２受容溝１３０に連結される。上記第１受容溝１２０の内側面は上記第３受容溝１４０の内側面と段差を形成し、上記第２受容溝１３０の内側面は上記第３受容溝１４０の内側面と段差を形成する。
【００７４】
このように、実施形態に従うカメラモジュールは多様な外郭形状を有するレンズ部を上記レンズバレル１００の内に効果的に配置させることができる。
【００７５】
以上、実施形態に説明された特徴、構造、効果などは、本発明の少なくとも１つの実施形態に含まれ、必ず１つの実施形態のみに限定されるものではない。延いては、各実施形態で例示された特徴、構造、効果などは、実施形態が属する分野の通常の知識を有する者により他の実施形態に対しても組合または変形されて実施可能である。したがって、このような組合と変形に関連した内容は本発明の範囲に含まれることと解釈されるべきである。
【００７６】
以上、本発明を好ましい実施形態をもとに説明したが、これは単なる例示であり、本発明を限定するのでない。本発明の本質的な特性を逸脱しない範囲内で、多様な変形及び応用が可能であることが同業者にとって明らかである。例えば、実施形態に具体的に表れた各構成要素は変形して実施することができ、このような変形及び応用にかかわる差異点も、特許請求の範囲で規定する本発明の範囲に含まれるものと解釈されるべきである。
【符号の説明】
【００７７】
１００  レンズバレル、  １１０  雄ねじ部、  １２０  第１受容溝、  １３０  第２受容溝、  １４０  第３受容溝、  ２００  レンズアセンブリ、  ２１０  第１レンズ部、  ２１１  第１レンズ、  ２１２  第１支持部、  ２１３  第１レンズアレイ基板、  ２２０  第２レンズ部、  ２２５  スペーサ、  ２３０  第３レンズ部、  ２３１  第３レンズ、  ２３２  第３支持部、  ２３３  第３レンズアレイ基板、  ２４０  第４レンズ部、  ２４１  第４レンズ、  ２４２  第４支持部、  ２４３  第４レンズアレイ基板、  ２５０  第５レンズ部、  ３００  固定部、  ４００  ハウジング、  ４１０  雌ねじ部、  ４２０、４３０  受容溝、  ５００  赤外線遮断フィルタ部、  ６００  センサ部。
【図１】
0005904912.tif 000002
【図２】
0005904912.tif 000003
【図３】
0005904912.tif 000004
【図４】
0005904912.tif 000005
【図５】
0005904912.tif 000006
【図６】
0005904912.tif 000007
【図７】
0005904912.tif 000008
【図８】
0005904912.tif 000009
【図９】
0005904912.tif 000010